(57)【特許請求の範囲】
【請求項１】
ファイル本体（１）と、
前記ファイル本体（１）に取り付けられたパンチ付綴り器具（２）と、
前記パンチ付綴り器具（２）を構成し、前記ファイル本体（１）に取り付けられた基部（３）と、
前記基部（３）に取り付けられた綴り棒（４）と、
前記綴り棒（４）の先端を構成する刃（５）と、
前記基部（３）に対して開閉自在に取り付けられた揺動部（６）と、
前記揺動部（６）に開けられ、前記揺動部（６）が閉じた位置で前記綴り棒（４）が突入するための穴（７）と、
前記基部（３）に対して前記揺動部（６）が開閉自在となるように設けられる基部揺動部継手手段（８）と、
前記基部揺動部継手手段（８）に取り付けられ、弾性的に付勢することで前記揺動部（６）が閉じ、弾性的に消勢することで前記揺動部（６）が開くよう設けられたばね（９）と、
前記刃（５）を覆うように前記揺動部（６）に取り付けられ、該揺動部から取り外し可能な蓋部（１０）と、
前記揺動部（６）に取り付けられ、前記揺動部（６）が前記ばね（９）によって開かないようにするストッパー（１２）と、
前記ストッパー（１２）が開閉自在となるように前記揺動部（６）に設けられる揺動部ストッパー継手手段（１３）と、
前記揺動部（６）が閉じた位置で、前記ストッパー（１２）がはめ込まれるとロックがかかり、前記ストッパー（１２）が抜き出されるとロックが解除されるよう前記基部（３）に開けられた溝（１４）とからなり、
前記ストッパー（１２）は、前記溝（１４）を介して水平方向にスライドさせることで前記揺動部（６）を開閉するパンチ付ファイル。
【請求項２】
請求項１に記載のパンチ付ファイルであって、
前記綴り棒（４）は２体設けられ、
２体の前記綴り棒（４）に対して前記穴（７）も２か所設けられ、
２か所の前記穴（７）の両方を覆うように前記揺動部（６）に前記蓋部（１０）が設けられていることを特徴とするパンチ付ファイル。
【請求項３】
請求項１又は請求項２に記載のパンチ付ファイルであって、
前記ばね（９）の弾性力を前記揺動部（６）に伝えるために前記基部（３）に設けられた板（２１）と、
前記揺動部（６）が閉じたとき、前記溝（１４）に前記ストッパー（１２）が嵌まるような位置で前記揺動部（６）が止まるように前記基部（３）に設けられており、前記ばね（９）の動作を阻害しないように前記ばね（９）から前記板（２１）より離れた位置に設けられた板（２２）とからなるパンチ付ファイル。
【請求項４】
請求項１〜３の何れか一に記載のパンチ付ファイルであって、
前記刃（５）は前記綴り棒（４）の一端から半円の柱体を除去した形状をしており、前記刃（５）と前記綴り棒（４）の境界面に近づくにつれて刃の幅が徐々に増加するパンチ付ファイル。
【請求項５】
請求項１〜４の何れか一に記載のパンチ付ファイルであって、
前記刃（５）は用紙に穴を開ける際に最初に触れる箇所は２点であるパンチ付ファイル。
【発明の詳細な説明】
【技術分野】
【０００１】
本発明は、穴あけとファイリングとを一度に行うことができるようにしたパンチ付ファイルに関する。
【背景技術】
【０００２】
書類を綴じるためのファイルとして、２穴式ファイルが知られている。２穴式ファイルに綴じることができるように、用紙に穴をあけるための２穴パンチが用いられている。そのため、まず用紙に２穴パンチを用いて穴をあけてから、２つ穴ファイルに綴じなければならなかった。
【０００３】
そこで、用紙に穴をあける動作と、用紙をファイルに綴じる動作を同時に行うことができるファイルとして、特許文献１が知られている。
【０００４】
この特許文献１に開示されたパンチ付きファイルは、図１３に示すように、ファイル本体（１０１）にパンチ付き綴り具（１０５）が取り付けられている。このパンチ付き綴り具（１０５）が、基部（１０６）と、揺動部（１０７）と、蓋部（１０８）と、穿孔兼用綴じ棒（１０９）と、穿孔刃（１１０）と、穿孔用穴（１３０）と、ストッパ（１１６）とからなり、基部（１０６）がファイル本体（１０１）に固定され、この基部（１０６）に揺動部（１０７）が開閉自在に連結されている。さらに、基部（１０６）に蓋部（１０８）が開閉自在に連結されている。また、基部（１０６）に穿孔兼用綴じ棒（１０９）が固定されており、穿孔兼用綴じ棒（１０９）の先端に王冠型をした穿孔刃（１１０）が固定されている。また、揺動部（１０７）が基部（１０６）に対する閉位置で、穿孔兼用綴じ棒（１０９）が突入するように揺動部（１０７）に穿孔穴（１３０）が設けられている。また、蓋部（１１０）および揺動部（１０７）が開かないようにストッパ（１１６）が設けられている。
【０００５】
この特許文献１の技術によれば、パンチ機能を有するファイルとして、用紙に穴をあける動作と、用紙をファイルに綴じる動作を同時に行うことができる（特許文献１を参照。）。
【先行技術文献】
【特許文献】
【０００６】
【特許文献１】特開平８−１７５０７０号公報
【発明の概要】
【発明が解決しようとする課題】
【０００７】
しかしながら、特許文献１に開示された従来のパンチ付きファイルは、ストッパ（１１６）がロックされているときと解除されているときの見分けがつきにくいために、ストッパ（１１６）のロックをかけ忘れる可能性があった。
【０００８】
また、特許文献１に開示された従来のパンチ付きファイルは、書類に穴を開けた際に出るゴミを貯留する空間が穿孔穴（１３０）に対してそれぞれ設けられており、かつ、蓋部（１０８）が基部（１０６）に固定されているために、ゴミ捨ての際にファイル本体（１０１）を、ゴミ箱までもっていき、ごみを捨てなければならなかった。
【０００９】
また、特許文献１に開示された従来のパンチ付きファイルは、穿孔兼用綴じ棒（１０９）に王冠型の穿孔刃（１１０）が嵌め込まれている構造をしており、かつ、穿孔兼用綴じ棒（１０９）と穿孔刃（１１０）の境界で著しく断面形状が変化しているために、書類に穴を開ける際に穿孔刃（１１０）に力が加わった場合、穿孔刃（１１０）がずれたり、境界面に負荷がかかることによって穿孔刃（１１０）の根元が曲がったりすることによって、真円の穴があけられなくなる。
【００１０】
さらに、特許文献１に開示された従来のパンチ付きファイルは、穿孔刃（１１０）が王冠型をしていることによって、書類に穴を開ける時に多数の点が書類に触れるので、力が分散してしまい、硬い素材の書類の場合、強く押し付けないと書類に穴を開けることができない。
【００１１】
加えて、特許文献１に開示された従来のパンチ付きファイルは、揺動部（１０６）に取り付けられたストッパー（１１２）が基部（１０３）に設けられた溝（１１４）に嵌まることでロックされる機構を採用しているので、溝（１１４）にストッパー（１１２）が嵌まる位置で、揺動部（１０６）を静止させないとロックをかけることができない。
【００１２】
また、特許文献１に開示された従来のパンチ付きファイルは、穴を開ける際に揺動部（１０６）に設けられた綴り棒（１０４）が突入する穴の付近を手で押さえるので、刃で怪我をする可能性がある。
【００１３】
本発明は、このような事情に鑑みてなされたものであり、その主な目的は、ストッパーのロックをかけ忘れることがなく、穴を開けた後のゴミ捨て作業が簡単で、真円の穴が長期に亘って開けられる、利便性、耐久性、及び、安全性に優れるパンチ付ファイルを提供することにある。
【課題を解決するための手段】
【００１４】
本発明の第１の側面に係るパンチ付ファイルによれば、ファイル本体（１）と、前記ファイル本体（１）に取り付けられたパンチ付綴り器具（２）と、前記パンチ付綴り器具（２）を構成し、前記ファイル本体（１）に取り付けられた基部（３）と、前記基部（３）に取り付けられた綴り棒（４）と、前記綴り棒（４）の先端を構成する刃（５）と、前記基部（３）に対して開閉自在に取り付けられた揺動部（６）と、前記揺動部（６）に開けられ、前記揺動部（６）が閉じた位置で前記綴り棒（４）が突入するための穴（７）と、前記基部（３）に対して前記揺動部（６）が開閉自在となるように設けられる基部揺動部継手手段（８）と、前記基部揺動部継手手段（８）に取り付けられ、弾性的に付勢することで前記揺動部（６）が閉じ、弾性的に消勢することで前記揺動部（６）が開くよう設けられたばね（９）と、前記刃（５）を覆うように前記揺動部（６）に取り付けられた蓋部（１０）と、前記揺動部（６）に取り付けられ、前記揺動部（６）が前記ばね（９）によって開かないようにするストッパー（１２）と、前記ストッパー（１２）が開閉自在となるように前記揺動部（６）に設けられる揺動部ストッパー継手手段（１３）と、前記揺動部（６）が閉じた位置で、前記ストッパー（１２）がはめ込まれるとロックがかかり、前記ストッパー（１２）が抜き出されるとロックが解除されるよう前記基部（３）に開けられた溝（１４）とを備えることができる。
【００１５】
前記構成により、前記綴り棒（４）と前記刃（５）を一体化した機構を備えたので、用紙に穴を開ける動作と用紙をファイルに綴じる動作を同時に行うことができる。
【００１６】
また、前記構成により、前記ばね（９）を備え、前記ストッパー（１２）によるロックが解除されると自動的に前記揺動部（６）が開くので、前記揺動部（６）を持ち上げる手間を省き、前記ストッパー（１２）のロックが解除されていると前記ばね（９）により常に前記揺動部（６）が開いた状態となるので、ロックのかけ忘れを抑制することができる。
【００１７】
本発明の第２の側面に係るパンチ付ファイルによれば、前記綴り棒（４）は２体設けられ、２体の前記綴り棒（４）に対して前記穴（７）も２か所設けられ、２か所の前記穴（７）の両方を覆うように前記揺動部（６）に前記蓋部（１０）が設けられるよう構成できる。
【００１８】
前記構成により、前記揺動部（６）に開けられた２か所の前記穴（７）を覆うように前記蓋部（１０）が取り付けられているので、用紙に穴を開ける際に発生したゴミを１か所にまとめることでゴミ捨て作業を容易にできる。
【００１９】
また、前記構成により、前記揺動部（６）が閉じているとき、前記刃（５）が前記蓋部（１０）の内部に格納される構造を備えているので、前記刃（５）によって生じる怪我を防止することができる。
【００２０】
本発明の第３の側面に係るパンチ付ファイルによれば、前記ばね（９）の弾性力を前記揺動部（６）に伝えるために前記基部（３）に設けられた板（２１）と、前記揺動部（６）が閉じたとき、前記溝（１４）に前記ストッパー（１２）が嵌まるような位置で前記揺動部（６）が止まるように前記基部（３）に設けられており、前記ばね（９）の動作を阻害しないように前記ばね（９）から前記板（２１）より離れた位置に設けられた板（２２）とからなるよう構成できる。
【００２１】
前記構成により、前記揺動部（６）が閉じたとき、前記溝（１４）に前記ストッパー（１２）が嵌まるような位置で前記揺動部（６）が止まるように前記基部（３）に設けられた前記板（２２）を備えているので、前記揺動部（６）を完全に閉じると、前記溝（１４）に前記ストッパー（１２）を容易に嵌め込むことができる。
【００２２】
本発明の第４の側面に係るパンチ付ファイルによれば、前記蓋部（１０）は取り外し可能に設けることができる。
【００２３】
前記構成により、前記蓋部（１０）は取り外し可能に設けられているので、前記蓋部（１０）内部に蓄積されたごみを捨てる際に、前記ファイル本体（１）を持ち運ぶ必要がなく、前記蓋部（１０）を取り外してごみを捨てに行くことができる。
【００２４】
本発明の第５の側面に係るパンチ付ファイルによれば、前記刃（５）は、前記綴り棒（４）の一端から半円の柱体を除去した形状をしており、前記刃（５）と前記綴り棒（４）の境界面に近づくにつれて刃の幅が徐々に増加するよう構成できる。
【００２５】
前記構成により、前記刃（５）は前記綴り棒（４）の一端から半円の柱体を除去した形状をしており、前記刃（５）と前記綴り棒（４）の境界面に近づくにつれて刃の幅が徐々に増加するので、前記刃（５）に強度を持たせることができる。つまり、用紙に穴を開ける際に前記刃（５）が変形しひずみが発生することを抑制することで、用紙に真円の穴をあけることができる。
【００２６】
本発明の第６の側面に係るパンチ付ファイルによれば、前記刃（５）は、用紙に穴を開ける際に最初に触れる箇所は２点であるよう構成できる。
【００２７】
前記構成により、前記刃（５）は用紙に穴を開ける際に最初に触れる箇所は２点であり、接触面積を少なくすることで力の分散を防ぐことができるので、容易に用紙に穴を開けることができる。
【発明の効果】
【００２８】
本発明によれば、ストッパーのロックをかけ忘れることがなく、穴を開けた後のゴミ捨て作業が簡単で、真円の穴が長期に亘って開けられる、利便性、耐久性、及び、安全性に優れるパンチ付ファイルを提供することができる。
【図面の簡単な説明】
【００２９】
【図１】本発明を適用したパンチ付ファイルを構成するファイル本体とパンチ付綴り器具の斜視図である。
【図２】本発明を適用したパンチ付綴り器具で揺動部が閉位置の斜視図である。
【図３】本発明を適用したパンチ付綴り器具で揺動部が閉位置の側面図である。
【図４】本発明を適用したパンチ付綴り器具で図９のＡ３−Ａ３線断面図である。
【図５】本発明を適用したパンチ付綴り器具で図９のＡ２−Ａ２線断面図である。
【図６】本発明を適用したパンチ付綴り器具で揺動部が開位置の斜視図である。
【図７】本発明を適用したパンチ付綴り器具で揺動部が開位置の上面図である。
【図８】本発明を適用したパンチ付綴り器具で図９のＡ１−Ａ１線断面図である。
【図９】本発明を適用したパンチ付綴り器具で揺動部が閉位置の上面図である。
【図１０】本発明を適用したパンチ付綴り器具で揺動部が開位置の正面図である。
【図１１】本発明を適用したパンチ付綴り器具で揺動部が開位置の側面図である。
【図１２】本発明を適用したパンチ付綴り器具で揺動部が開位置でのＡ１−Ａ１線断面図である。
【図１３】（Ａ）従来のパンチ付きファイルを示す図であり、（Ｂ）従来のパンチ付綴り器具を示す図である。
【発明を実施するための形態】
【００３０】
以下、本発明を適用した具体的な実施の形態について、図面を参照しながら詳細に説明する。本発明は、例えば、図１に示すようなパンチ付ファイルに適用される。
【００３１】
図１を参照して、ファイル本体（１）の内側の背表紙付近にパンチ付綴り器具（２）が設けられている。ファイル本体（１）は、紙、樹脂板、樹脂シートなどで製造されている。
【００３２】
図２を参照して、パンチ付綴り器具（２）の構成の概略について説明する。パンチ付綴り器具（２）は基部（３）と揺動部（６）と蓋部（１０）とから構成されている。基部（３）はファイル本体（１）の内側に接合されている。図３に示すように、基部（３）から２体の金属製円柱体の綴り棒（４）が立ち上がっている。図４に示すように、綴り棒（４）の先端から半円柱体を除去することによって刃（５）を構成する。揺動部（６）は、金属製の刃（５）が接触するので、刃（５）と同種の金属、または同程度の強度のある素材で製造されている。基部（３）と揺動部（６）と蓋部（１０）は、書類に穴を開ける際に生じる衝撃に耐えうる材質のものであればよい。
【００３３】
図５及び図６に示すように、基部（３）を構成する４体の側壁にそれぞれ継手用穴（１５）が開けられており、左側の２つと右側の２つにそれぞれ軸（１７）を設ける。軸（１７）の両端を継手用穴（１５）の内径よりも大きくすることで、軸（１７）が抜けないように設置する。
【００３４】
揺動部（６）は軸（１７）を中心に回転して開閉自在に揺動する。揺動部（６）は図２に示す閉位置と図６及び図７に示す開位置の間を揺動する。
【００３５】
図８に示すように、基部（３）に揺動部（６）が閉位置でとまるような位置に板（２２）設けられている。
【００３６】
軸（１７）にばね（９）が設けられており、ばね（９）の一端が揺動部（６）に取り付けられている。ばね（９）の弾性力を基部（３）に伝えるように板（２１）を基部（３）に設けており、ばね（９）の他端が板（２１）に取り付けられている。
【００３７】
図５に示すように、揺動部（６）が閉位置にあるとき、刃（５）と綴り棒（４）が突入する位置に揺動部に穴（７）をそれぞれ設ける。穴（７）の内径は、綴り棒（４）の外形に等しい。
【００３８】
２つの穴（７）を覆うように蓋部（１０）が揺動部（６）に取り付けられている。揺動部（６）に、例えば、蓋部（１０）の内径と同じ突起を設けて、突起を蓋部（１０）に嵌め込んで固定するなど、取り外し可能なように取り付ける。
【００３９】
図９及び図１０に示すように、ストッパー（１２）が開閉自在となるように揺動部（６）に設置する。
【００４０】
ストッパー（１２）と揺動部（６）にそれぞれ継手用穴（１８，１９）を設け、軸（２０）を設ける。軸（２０）の両端を継手用穴（１８，１９）の内径よりも大きくすることで、軸（２０）が抜けないように設置する。
【００４１】
図３に示すように、揺動部（６）が閉位置にあるときに、ストッパー（１２）のロックがかかるように、基部（３）に溝（１４）を設ける。溝（１４）はＬ字型の形状をしており、ばね（９）の効果で、揺動部（６）が持ち上がるので、ストッパー（１２）がＬ時の部分に引っかかることで、ロックが自然に解除されることを防ぐことができる。
【００４２】
続いて、パンチ付ファイルの使用方法について説明する。先ず、使用者は、ストッパー（１２）を基部（３）に設けられた溝（１４）から外すことで、ロックを解除する。これによって、図８に示す揺動部（６）がばね（９）の作用により自動的に開位置に移動し、図１１及び図１２に示すように、刃（５）が露出する。
【００４３】
次に、刃（５）の上端に綴じようとする書類を置き、揺動部（６）を閉位置まで押し倒す。揺動部（６）は、軸（１７）を中心に回転して、揺動部（６）に設けられた穴（７）が綴り棒（４）の上端の刃（５）に突入する。書類は、穴（７）と刃（５）の剪断力によって真円形状の穴が開く。
【００４４】
最後に、ストッパー（１２）を基部（３）に設けられた溝（１４）に嵌め込む。この状態で、揺動部（６）は基部（３）に対して閉位置で固定された状態となり、そのまま書類がファイルに綴じられたことになる。また、刃（５）は揺動部（６）と蓋部（１０）によって格納されており、刃（５）は安全な状態にある。
【００４５】
但し、書類に穴を開ける際に発生したごみは、揺動部（６）と蓋部（１０）によって貯留されている。ファイル本体（１）を裏返して、蓋部（１０）にごみを寄せるようにして蓋部（１０）を揺動部（６）から取り外す。この状態で、蓋部（１０）のみを持ってごみを捨てる。
【００４６】
なお、本発明は前述した実施の形態のみに限定されるものではなく、本発明の要旨を逸脱しない範囲において種々の変更が可能であることは勿論である。
【符号の説明】
【００４７】
１          ファイル本体
２          パンチ付綴り器具
３          基部
４          綴り棒
５          刃
６          揺動部
７          穴
８          基部揺動部継手手段
９          ばね
１０        蓋部
１２        ストッパー
１３        揺動部ストッパー継手手段
１４        溝
１７，２０  軸
２１，２２  板
【要約】
【課題】利便性、耐久性、および、安全性に優れた、穴あけとファイリングとを一度に行うことができるパンチ付ファイルを提供する。
【解決手段】ファイル本体（１）に固定された基部（３）、基部（３）に対して開閉自在に取り付けられた揺動部（６）、揺動部（６）に取り外し可能なように取り付けられた蓋部（１０）からなるパンチ付綴り器具（２）と、綴り棒（４）と、綴り棒（４）の先端を構成し、綴り棒（４）の境界面に近づくにつれて刃の幅が徐々に増加し、且つ、用紙に穴を開ける際に最初に触れる箇所は２点である刃（５）と、弾性的に消勢することで揺動部（６）が開くように設けられたばね（９）と、前記揺動部（６）が前記ばね（９）によって開かないようにするストッパー（１２）とを備える。
【選択図】図２【図１】
0005856329.tif 000002
【図２】
0005856329.tif 000003
【図３】
0005856329.tif 000004
【図４】
0005856329.tif 000005
【図５】
0005856329.tif 000006
【図６】
0005856329.tif 000007
【図７】
0005856329.tif 000008
【図８】
0005856329.tif 000009
【図９】
0005856329.tif 000010
【図１０】
0005856329.tif 000011
【図１１】
0005856329.tif 000012
【図１２】
0005856329.tif 000013
【図１３】
0005856329.tif 000014